(57)【要約】【課題】携帯端末側で自己の通信方式を変えても、通話相手側の携帯端末の通信方式を変更することができない。【解決手段】通信制御部６は、携帯端末が無線通信接続する第１の基地局、および通話相手の他の携帯端末が無線通信接続する第２の基地局を通じて、他の携帯端末との間の通話を制御する。通信制御部６は、他の携帯端末が接続可能な複数の第２の基地局のうち一の基地局から他の基地局へ第２の基地局を切り替える制御を実行するように構成される。【選択図】図１
2016158127.tif 000002
【特許請求の範囲】
【請求項１】
携帯端末であって、
前記携帯端末が無線通信接続する第１の基地局、および通話相手の他の携帯端末が無線通信接続する第２の基地局を通じた前記他の携帯端末との間の通話を制御するように構成された通信制御部を備え、
前記通信制御部は、前記他の携帯端末が接続可能な複数の前記第２の基地局のうち一の基地局から他の基地局へ前記第２の基地局を切り替える制御を実行するように構成される、携帯端末。
【請求項２】
前記他の携帯端末との間の通話品質を測定するように構成された測定部を備え、
前記通信制御部は、前記通話品質が所定値以下の場合に、前記第２の基地局の切替えを制御するように構成される、請求項１記載の携帯端末。
【請求項３】
前記他の携帯端末との間の通話品質を測定するように構成された測定部と、
前記通信制御部は、前記通話品質が所定値以下の場合に、前記第１の基地局の切替えを制御するように構成され、
前記通信制御部は、前記携帯端末が無線通信接続する第１の基地局の切替え後にも、前記通話品質が所定値以下の場合に、前記第２の基地局の切替えを制御するように構成される、請求項２記載の携帯端末。
【請求項４】
ユーザから前記他の携帯端末が無線通信接続する第２の基地局の切替えの指示を受け付けるように構成されたユーザ入力部を備え、
前記通信制御部は、前記指示を受け付けた場合に、前記第２の基地局の切替えを制御するように構成される、請求項１記載の携帯端末。
【請求項５】
前記通信制御部は、前記他の携帯端末から前記第２の基地局の切替えを要求する切替要求情報を受信した場合に、前記第２の基地局の切替えを制御するように構成される、請求項１記載の携帯端末。
【請求項６】
前記通信制御部は、前記他の携帯端末から、現在無線通信接続中の第２の基地局を表わす情報と、無線通信接続可能な１以上の第２の基地局を表わす通信可能基地局情報とを含む切替要求情報を受信した場合に、前記受信した切替要求情報に基づいて、前記切替後の第２の基地局を決定するように構成される、請求項５記載の携帯端末。
【請求項７】
前記通信制御部は、前記他の携帯端末から、無線通信接続可能な１以上の第２の基地局との通信品質をさらに含む通信可能基地局情報を含む切替要求情報を受信した場合に、前記受信した切替要求情報に基づいて、前記切替後の第２の基地局を決定するように構成される、請求項６記載の携帯端末。
【請求項８】
前記第２の基地局として選択可能な通信方式の情報を記憶するように構成された記憶部を備え、
前記通信制御部は、前記受信した切替要求情報と、前記記憶されている情報に基づいて、前記切替後の第２の基地局を決定するように構成される、請求項６記載の携帯端末。
【請求項９】
前記通信制御部は、前記他の携帯端末から前記第２の基地局の切替えを要求する切替要求、および切替先の第２の基地局を指定する切替要求情報を受信した場合、前記受信した切替要求情報で指定される第２の基地局を前記他の携帯端末が通信接続する前記第２の基地局に決定するように構成される、請求項１記載の携帯端末。
【請求項１０】
前記通信制御部は、前記第２の基地局の切替前に、前記第２の基地局の切替えの許可を求める許可願情報を他の携帯端末に送信し、その後、前記他の携帯端末から許可情報を受信したときに、前記切替えを行なうように構成される、請求項１記載の携帯端末。
【請求項１１】
前記携帯端末を、前記第１の基地局および前記第２の基地局の切替えを制御できる第１種端末か、あるいは前記第１の基地局および前記第２の基地局のいずれの切替えも制御できない第２種端末に設定するように構成される設定部をさらに備えた、請求項１記載の携帯端末。
【請求項１２】
携帯端末であって、
通話相手の他の携帯端末が無線通信接続する第１の基地局、および前記携帯端末が無線通信接続する第２の基地局を通じた前記他の携帯端末との間の通話を制御するように構成された通信制御部と、
前記他の携帯端末との間の通話品質を測定するように構成された測定部とを備え、
前記通信制御部は、前記通話品質が所定値以下の場合に、前記第２の基地局の切替えを要求する切替要求情報を前記他の携帯端末へ送信するように構成される、携帯端末。
【請求項１３】
前記通信制御部は、現在無線通信接続中の第２の基地局を表わす情報と、無線通信接続可能な１以上の第２の基地局を表わす通信可能基地局情報とを含む切替要求情報を送信するように構成される、請求項１２記載の携帯端末。
【請求項１４】
前記通信制御部は、無線通信接続可能な１以上の第２の基地局との通信品質をさらに含む通信可能基地局情報を含む切替要求情報を送信するように構成される、請求項１３記載の携帯端末。
【請求項１５】
携帯端末であって、
通話相手の他の携帯端末が無線通信接続する第１の基地局、および前記携帯端末が無線通信接続する第２の基地局を通じた前記他の携帯端末との間の通話を制御するように構成される通信制御部を備え、
前記通信制御部は、前記他の携帯端末から前記第２の基地局の切替えの許可を求める許可願情報を受信した後、前記ユーザ入力部から切替えの許可が入力された場合に、切替え許可を表わす許可情報を前記他の携帯端末に送信するように構成される、携帯端末。
【請求項１６】
無線通信接続する第１の基地局、および通話相手の他の携帯端末が無線通信接続する第２の基地局の切替えが可能な第１携帯端末と、前記第１の基地局および前記第２の基地局の切替が両方不可能な第２携帯端末の間の通信制御方法であって、
前記第２携帯端末が、前記第１携帯端末との間の通話品質を測定するステップと、
前記通話品質が所定値以下の場合に、前記第２携帯端末が、前記第２携帯端末が無線通信接続する第２の基地局の切替えを要求する切替要求情報を送信するステップと、
前記第１携帯端末が、前記第２携帯端末から前記切替要求情報を受信した場合に、前記第２携帯端末が無線通信接続する第２の基地局の切替えを制御するステップとを備えた、通信制御方法。
【発明の詳細な説明】
【技術分野】
【０００１】
本開示は、携帯端末および通信制御方法に関する。
【背景技術】
【０００２】
従来から、通話の品質が劣化した場合に、現在用いている通信方式と異なる通信方式の基地局と無線通信接続する携帯端末が知られている。たとえば、特許文献１に記載の携帯端末は、通信方式をＯＦＤＭ方式からＣＤＭＡ方式に切り替えることができる。
【先行技術文献】
【特許文献】
【０００３】
【特許文献１】特開２０１３−２４３６８５号公報
【発明の概要】
【発明が解決しようとする課題】
【０００４】
しかしながら、特許文献１に記載の携帯端末では、携帯端末側で自己の通信方式を変えても、通話相手側の携帯端末の通信方式を変更することができない。そのため、通話相手側の携帯端末において、通信方式を変更することができなかったり、変更可能なのに変更しなかった場合に、通話品質が改善されない、通話のセキュリティが確保されない、または高額な通信方式での通話が行われるという問題がある。
【課題を解決するための手段】
【０００５】
一実施の形態の携帯端末は、携帯端末が無線通信接続する第１の基地局、および通話相手の他の携帯端末が無線通信接続する第２の基地局を通じた他の携帯端末との間の通話を制御するように構成された通信制御部とを備える。通信制御部は、他の携帯端末が接続可能な複数の第２の基地局のうち一の基地局から他の基地局へ第２の基地局を切り替える制御を実行するように構成される。
【発明の効果】
【０００６】
一実施形態によれば、通話相手側の携帯端末が通信接続する基地局を変更することができる。
【図面の簡単な説明】
【０００７】
【図１】実施の形態の携帯端末の構成を表わす図である。
【図２】携帯端末の種別の設定画面を表わす図である。
【図３】第１の実施形態において、携帯端末Ａが、携帯端末Ｂが無線通信接続する基地局を切り替える動作手順を表わすフローチャートである。
【図４】第２の実施形態において、携帯端末Ａが、携帯端末Ｂが無線通信接続する基地局を切り替える動作手順を表わすフローチャートである。
【図５】第３の実施形態において、携帯端末Ａが、携帯端末Ｂが無線通信接続する基地局を切り替える動作手順を表わすフローチャートである。
【図６】第４の実施形態において、携帯端末Ａが、携帯端末Ｂが無線通信接続する基地局を切り替える動作手順を表わすフローチャートである。
【図７】切替要求情報の例を表わす図である。
【図８】第５の実施形態において、携帯端末Ａが、携帯端末Ｂが無線通信接続する基地局を切り替える動作手順を表わすフローチャートである。
【図９】通信可能基地局情報の例を表わす図である。
【図１０】無線通信接続する基地局の切替えの例を説明する。
【図１１】無線通信接続する基地局の切替えの例を説明する。
【図１２】無線通信接続する基地局の切替えの例を説明する。
【図１３】第６の実施形態において、携帯端末Ａが、携帯端末Ｂが無線通信接続する基地局を切り替える動作手順を表わすフローチャートである。
【図１４】第７の実施形態において、携帯端末Ａが、携帯端末Ｂが無線通信接続する基地局を切り替える動作手順を表わすフローチャートである。
【図１５】第８の実施形態において、携帯端末Ａが、携帯端末Ｂが無線通信接続する基地局を切り替える動作手順を表わすフローチャートである。
【図１６】切替許可願情報の例を表わす図である。
【図１７】切替許可情報の例を表わす図である。
【図１８】携帯端末Ｂのユーザによる切替え許可が入力される手順を表わすフローチャートである。
【図１９】携帯端末Ｂのユーザによる無線通信接続する基地局の切替え許可が入力される際に表示される画面の例を表わす図である。
【図２０】携帯端末Ｂのユーザによる無線通信接続する基地局の切替え許可が入力される際に表示される画面の例を表わす図である。
【図２１】携帯端末Ｂのユーザによる無線通信接続する基地局の切替え許可が入力される際に表示される画面の例を表わす図である。
【図２２】他の携帯端末の種別の設定画面を表わす図である。
【図２３】携帯端末１が、所定の通話相手の携帯端末Ｘの設定された種別を通知する手順を表わすフローチャートである。
【発明を実施するための形態】
【０００８】
以下、実施の形態について図面を用いて説明する。
［第１の実施形態］
図１は、実施の形態の携帯端末の構成を表わす図である。
【０００９】
携帯端末１は、ユーザ入力部２と、種別設定部５と、通信制御部６と、アンテナ７と、通話品質測定部８と、設定情報記憶部９と、他端末情報記憶部３と、マイク１０と、スピーカ１１と、表示部１２と、近接センサ１３と、カメラ１４とを備える。
【００１０】
マイク１０には、ユーザの音声などが入力されることができる。
スピーカ１１は、通話相手の音声などを出力することができる。
【００１１】
表示部１２は、設定画面などを表示することができる。表示部１２は、たとえば液晶ディスプレイによって構成されることができる。
【００１２】
近接センサ１３は、ユーザの肌などの物体の接近を検出することができる。
カメラ１４は、被写体を撮影することができる。
【００１３】
ユーザ入力部２は、ユーザからの入力を受け付けることができる。ユーザ入力部２は、たとえばタッチパネルによって構成されることができる。
【００１４】
通信制御部６は、携帯端末１が無線通信接続する第１の基地局、および所定の通話相手の他の携帯端末が無線通信接続する第２の基地局を通じて、所定の通話相手の他の携帯端末との間の通話を制御することができる。たとえば、通話のための通信手段として、ＶｏＬＴＥ（Voice over Long Term Evolution）、Ｗｉ−Ｆｉ（Wireless Fidelity）コーリングを含むＩＰ通信などを用いることができる。なお、基地局は、Ｗｉ−Ｆｉのアクセスポイントを含む。
【００１５】
他端末情報記憶部３は、所定の通話相手の携帯端末が利用できる通信方式と、その通信方式での通話品質のレベルを定めた通信方式情報を記憶することができる。所定の通話相手とは、たとえば、同じ家族の一員とすることができる。通信方式は、ＶｏＬＴＥ、Ｗｉ−Ｆｉなどを含む。
【００１６】
通話品質測定部８は、所定の通話相手の携帯端末との間の通話中の通話品質を測定することができる。通話品質は、パケットエラーレート、またはスループットなどによって表わすことができる。携帯端末１と基地局との間の電波の伝搬路に障害物があると、音が途切れたり、スループットが低下するなどによって、通話品質が劣化することがある。ＩＰ（Internet Protocol）通信の場合には、ネットワークの負荷などによっても、通話品質が劣化することがある。通話品質の劣化が通話相手側の携帯端末の通信方式に原因がある場合に、通話相手側で通信方式を切り替えることができないまたは切り替えない場合に、通話品質が改善されないという問題が生じる。この問題は、以下に示すように、第１の実施形態によって解決することができる。
【００１７】
種別設定部５は、携帯端末１を第１種端末と第２種端末のうちのいずれかに設定して、設定情報記憶部９に記憶させることができる。
【００１８】
第１種端末は、携帯端末１が通信接続する基地局の切替えを基地局制御装置に指示することが可能な端末である。第１種端末は、通話相手の携帯端末が無線通信接続する基地局の切替えを基地局制御装置に指示することが可能である。
【００１９】
第２種端末は、携帯端末１が無線通信接続する基地局の切替え、および通話相手の携帯端末が無線通信接続する基地局の切替えを基地局制御装置に指示することできない端末である。
【００２０】
図２は、携帯端末１の種別の設定画面を表わす図である。携帯端末１のユーザは、図２の設定画面を表示させて、携帯端末１を第１種端末又は第２種端末に設定することができる。言いかえると、携帯端末１のユーザは、図２の設定画面を表示させて、携帯端末１を第１種端末で動作させる第１種端末モード又は第２種端末で動作させる第２種端末モードに設定することができる。
【００２１】
携帯端末１のユーザが、ユーザ入力部２を通じて、第１種端末を選択した場合、具体的には、図２の画面が表示された場合においてユーザがタッチパネルをタッチすること等により「第１種端末」を選択した場合に、携帯端末１が第１種端末に設定される。携帯端末１のユーザが、ユーザ入力部２を通じて、第２種端末を選択した場合、具体的には、図２２の画面が表示された場合においてユーザがタッチパネルをタッチすること等により「第１種端末」を選択した場合に、携帯端末１が第２種端末に設定される。
【００２２】
通信制御部６は、設定情報が携帯端末１が第１種端末に設定されていることを表わす場合には、無線通信接続する基地局の切替えを制御することができる。通信制御部６は、設定情報が携帯端末１が第１種端末に設定されていることを示す場合には、他端末情報記憶部３に記憶されている通信方式情報に基づいて、所定の通話相手の携帯端末が採用する通信方式の切替えを制御することができる。
【００２３】
以下では、携帯端末１が第１種端末（以下、携帯端末Ａとする）に設定され、所定の通話相手の携帯端末が第２種端末（以下、携帯端末Ｂとする）に設定されている場合の動作について説明する。
【００２４】
図３は、第１の実施形態において、携帯端末Ａが、携帯端末Ｂが無線通信接続する基地局を切り替える動作手順を表わすフローチャートである。
【００２５】
ステップＳ１０１において、通話品質測定部８で測定された通話品質が所定値以下の場合（Ｓ１０１：ＹＥＳ）、または、ユーザ入力部２を通じて、携帯端末Ａのユーザから携帯端末Ｂの通信方式の切替え指示が入力された場合（Ｓ１０２：ＹＥＳ）に、処理がステップＳ１０３に進む。
【００２６】
ステップＳ１０３において、通信制御部６は、他端末情報記憶部３内の通信方式情報を読出すことができる。
【００２７】
ステップＳ１０４において、通信制御部６は、携帯端末Ｂの通信方式をデフォルトの通信方式よりも通話品質が高い通信方式に決定することができる。たとえば、携帯端末Ｂのデフォルトの通信方式がＷｉ−Ｆｉコーリングの場合に、Ｗｉ−Ｆｉコーリングよりも通話品質のレベルが高い方式に決定されることができる。
【００２８】
ステップＳ１０５において、通信制御部６は、携帯端末Ｂと無線通信接続する基地局がステップＳ１０４で決定された通信方式の基地局となるように、複数の基地局の上位に位置する基地局制御装置に指示情報を送信することができる。基地局制御装置は、指示情報を受信し、指示情報に基づいて、携帯端末Ｂと無線通信接続する基地局を切り替えることができる。
【００２９】
以上のように、第１の実施形態によれば、通話品質が低下したことが測定された場合またはユーザから切替指示があった場合に、通話相手側の通信方式を通話品質が高い方式に切り替えるので、通話品質を改善することができる。
【００３０】
［第２の実施形態］
図４は、第２の実施形態において、携帯端末Ａが、通話相手である携帯端末Ｂが無線通信接続する基地局を切り替える動作手順を表わすフローチャートである。
【００３１】
図４を参照して、ステップＳ２０１において、携帯端末Ｂとの無線通信接続手順が完了し、携帯端末Ｂとの通話が可能になったときに（Ｓ２０１：ＹＥＳ）、処理がステップＳ１０３に進む。
【００３２】
以下のステップＳ１０３〜Ｓ１０５の処理は、第１の実施形態と同じなので、説明を繰り返さない。
【００３３】
以上のように、第２の実施形態によれば、通話相手の携帯端末との無線通信接続が完了したら直ぐに、通話相手側の通信方式を通話品質が高い方式に切り替えるので、通話品質の高い通話を開始することができる。
【００３４】
［第３の実施形態］
図５は、第３の実施形態において、携帯端末Ａが、通話相手である携帯端末Ｂが無線通信接続する基地局を切り替える動作手順を表わすフローチャートである。
【００３５】
ステップＳ３０１において、通話品質測定部８で測定された通話品質が所定値以下の場合（Ｓ３０１：ＹＥＳ）、処理がステップＳ３０２に進む。
【００３６】
ステップＳ３０２において、通信制御部６は、通話品質が増加するように、携帯端末Ａと無線通信接続する基地局を切替える指示情報を基地局制御装置に送信することができる。基地局制御装置は、指示情報を受信し、指示情報に基づいて、携帯端末Ｂと無線通信接続する基地局を切り替えることができる。具体的には、通信制御部６は、現在無線通信接続が可能な基地局からの信号のレベルを測定し、最もレベルが高い信号を送信する基地局へ切り替えるようにすることができる。
【００３７】
ステップＳ３０３において、携帯端末Ａと無線通信接続する基地局を切替えたにもかわわらず、通話品質測定部８で測定された通話品質が所定値以下を維持する場合（Ｓ３０３：ＹＥＳ）、処理がステップ１０３に進む。
【００３８】
以下のステップＳ１０３〜Ｓ１０５の処理は、第１の実施形態と同じなので、説明を繰り返さない。
【００３９】
以上のように、第３の実施形態によれば、通話品質が低下したことが測定された場合に、まず携帯端末Ａの通信方式を切替え、それでも通信品質が改善されない場合には、通話相手側の携帯端末Ｂの通信方式も切り替えることによって、通話品質を改善することができる。
【００４０】
［第４の実施形態］
図６は、第４の実施形態において、携帯端末Ａが、通話相手である携帯端末Ｂが無線通信接続する基地局を切り替える動作手順を表わすフローチャートである。
【００４１】
ステップＳ４０１において、携帯端末Ａにおいて、通話品質測定部８で測定された通話品質が所定値以下の場合（Ｓ４０１：ＹＥＳ）、処理がステップＳ４０２に進む。
【００４２】
ステップＳ４０２において、図５のステップＳ３０２と同様に、通信制御部６は、通話品質が増加するように、携帯端末Ａと無線通信接続する基地局を切替える指示情報を基地局制御装置に送信することができる。基地局制御装置は、指示情報を受信し、指示情報に基づいて、携帯端末Ｂと無線通信接続する基地局を切り替えることができる。
【００４３】
ステップＳ４０３において、携帯端末Ｂにおいて、通話品質測定部８で測定された通話品質が所定値以下の場合（Ｓ４０３：ＹＥＳ）、処理がステップＳ４０４に進む。
【００４４】
ステップＳ４０４において、通信制御部６は、携帯端末Ｂの通信方式の切替えを要求する切替要求情報を携帯端末Ａへ送信することができる。
【００４５】
図７は、切替要求情報の例を表わす図である。図７に示すように、送信元である携帯端末ＢのＩＤを付して、音声データとともに切替要求情報が送信されることができる。携帯端末Ｂは、通話中に通話品質が所定値以下になると、自動的に音声データとともに切換要求情報を送信することができる。
【００４６】
ステップＳ４０５において、携帯端末Ａにおいて、通信制御部６が、切替要求情報を受信し、かつ付されたＩＤが正当な場合（家族の一員などの所定の通話相手の携帯端末ＩＤの場合）に（Ｓ４０５：ＹＥＳ）、処理がステップＳ１０３に進む。
【００４７】
以下のステップＳ４０６〜Ｓ４０８の処理は、第１の実施形態と同じなので、説明を繰り返さない。
【００４８】
以上のように、第４の実施形態によれば、第２種端末に設定された通話相手の携帯端末Ｂにおいて通話品質が低下したことが測定された場合に、携帯端末Ｂは無線通信接続する基地局を切り替えられない。それゆえ、携帯端末Ｂから第１種端末に設定された携帯端末Ａに切替え要求が送られ、携帯端末Ａが、携帯端末Ｂの通信方式を通信品質が高い方式に切り替えるので、通話品質を改善することができる。
【００４９】
［第５の実施形態］
図８は、第５の実施形態において、携帯端末Ａが、通話相手である携帯端末Ｂが無線通信接続する基地局を切り替える動作手順を表わすフローチャートである。
【００５０】
ステップＳ４０１において、携帯端末Ａにおいて、通話品質測定部８で測定された通話品質が所定値以下の場合（Ｓ４０１：ＹＥＳ）、処理がステップＳ４０２に進む。
【００５１】
ステップＳ４０２において、図５のステップＳ３０２と同様に、通信制御部６は、通話品質が増加するように、携帯端末Ａと無線通信接続する基地局を切替える指示情報を基地局制御装置に送信することができる。基地局制御装置は、指示情報を受信し、指示情報に基づいて、携帯端末Ｂと無線通信接続する基地局を切り替えることができる。
【００５２】
ステップＳ４０３において、携帯端末Ｂにおいて、通話品質測定部８で測定された通話品質が所定値以下の場合（Ｓ４０３：ＹＥＳ）、処理がステップＳ５０４に進む。
【００５３】
ステップＳ５０４において、通信制御部６は、携帯端末Ｂと通信方式の切替えの要求と、現在無線通信接続中の基地局を表わす通信状況情報、無線通信接続可能な１以上の基地局およびそれらの基地局との間の通話品質を表わす通信可能基地局情報とを含む切替要求情報を携帯端末Ａへ送信することができる。携帯端末Ｂは、通話中に通話品質が所定値以下になると、自動的に音声データとともに切換要求情報を送信することができる。
【００５４】
図９は、通信可能基地局情報の例を表わす図である。
通信可能基地局情報には、無線通信接続可能な１以上の基地局としてＬＴＡ基地局Ａ、Ｗｉ−ＦｉアクセスポイントであるＷＬＡＮ＿ＡＰ＃１、ＷＬＡＮ＿ＡＰ＃２が定められ、それらの基地局との間の通話品質として、レベルＬＸ、ＬＹ、ＬＺが定められている。
【００５５】
ステップＳ５０５において、携帯端末Ａにおいて、通信制御部６が、切替要求情報を受信し、かつ付されたＩＤが正当な場合（家族の一員などの所定の通話相手の携帯端末ＩＤの場合）（Ｓ５０５：ＹＥＳ）、処理がステップＳ５０６に進む。
【００５６】
ステップＳ５０６において、通信制御部６は、受信した切替要求情報に基づいて、携帯端末Ｂと無線通信接続する基地局を決定することができる。たとえば、通信制御部６は、携帯端末ＢがＬＴＡ基地局Ａと無線通信接続しており、レベルＬＹがレベルＬＸ、ＬＺよりも高ければ、携帯端末Ｂと無線通信接続する基地局をＷＬＡＮ＿ＡＰ２に決定することができる。
【００５７】
ステップＳ５０７において、通信制御部６は、携帯端末Ｂと無線通信接続する基地局がステップＳ５０６で決定された基地局となるように、複数の基地局の上位に位置する基地局制御装置に指示情報を送信する。基地局制御装置は、指示情報を受信し、指示情報に基づいて、携帯端末Ｂと無線通信接続する基地局を切り替える。
【００５８】
なお、携帯端末Ｂが携帯端末Ａに送信する切替要求情報に含まれる通信可能基地局情報には、基地局との間の通話品質を表わす情報として、例えば、平均スループット、平均エラーレートなどの情報を含んでいてもよい。また、通信可能基地局情報には、基地局との間の通話品質を表わす情報に限らず、セキュリティレベル、課金種類（従量・定額・無料）、および通信費を表す情報の少なくとも１つを含んでいてもよい。この場合、携帯端末Ａの通信制御部６は、当該通信可能基地局情報を含む切替要求情報に基づいて、携帯端末Ｂが無線通信接続する基地局を決定することができる。
【００５９】
（切替の例）
次に、図１０〜図１２を参照して、無線通信接続する基地局の切替えの例を説明する。
【００６０】
図１０に示すように、携帯端末Ａは、ＬＴＥ基地局Ｂと無線通信接続している。携帯端末Ｂは、ＬＴＥ基地局Ａと無線通信接続している。
【００６１】
通話品質が所定値以下となると、図１１に示すように、携帯端末Ａの無線通信接続する基地局がＷｉ−ＦｉのアクセスポイントであるＷＬＡＮ＿ＡＰ＃４に切り替えられる。
【００６２】
上記切替にも係らず通話品質が所定値以下を維持すると、図１２に示すように、携帯端末Ｂと無線通信接続する基地局がＷｉ−ＦｉのアクセスポイントであるＷＬＡＮ＿ＡＰ＃１に切り替えられる。
【００６３】
以上のように、第５の実施形態によれば、第２種端末に設定された通話相手の携帯端末Ｂにおいて通話品質が低下したことが測定された場合に、携帯端末Ｂから第１種端末に設定された携帯端末Ａに切替え要求と、通信状況情報と、通信可能基地局情報とが送られる。携帯端末Ａは、携帯端末Ｂと無線通信接続する基地局を通信品質が高くなる基地局に切り替えるので、通話品質を改善することができる。
【００６４】
［第６の実施形態］
図１３は、第６の実施形態において、携帯端末Ａが、通話相手である携帯端末Ｂが無線通信接続する基地局を切り替える動作手順を表わすフローチャートである。
【００６５】
図１３のフローチャートが、図８のフローチャートと相違する点は、以下である。
図１３のフローチャートは、図８のフローチャートのステップＳ５０６の代わりに、ステップＳ６０６を備える。
【００６６】
ステップＳ６０６において、通信制御部６は、受信した切替要求情報と、他端末情報記憶部３に記憶された通信方式情報に基づいて、携帯端末Ｂと無線通信接続する基地局を決定することができる。たとえば、通信制御部６は、携帯端末ＢがＬＴＡ基地局Ａと無線通信接続しており、レベルＬＹがレベルＬＸ、ＬＺよりも高くても、通信方式情報に携帯端末Ｂが採用できる通信方式としてＷＩ−ＦＩコーリングが定められていない場合には、携帯端末Ｂと無線通信接続する基地局をＷＬＡＮ＿ＡＰ２に決定することができず、携帯端末ＢとＬＴＡ基地局Ａとの間の無線通信接続を維持することを決定する。たとえば、無料のＷｉ−Ｆｉコーリングを使用すると、セキュリティを確保できないことが懸念される場合に、携帯端末Ａのユーザは、携帯端末Ｂが利用できる通信方式としてＷｉ−Ｆｉコーリングを含まない通信方式情報を作成して、他端末情報記憶部３に記憶させておくことができる。
【００６７】
あるいは、携帯端末Ａのユーザである親が、子供が使用する携帯端末Ｂが使用料金の高い通信方式を用いた通信を行わないように、使用料金の高い通信方式を含まない通信方式情報を作成して、他端末情報記憶部３に記憶させておくことができる。
【００６８】
以上のように、第６の実施形態によれば、携帯端末Ａで保持する携帯端末Ｂが利用できる通信方式の情報と、携帯端末Ｂから送られてくる通信可能基地局情報に基づいて、携帯端末Ｂと無線通信接続する基地局を決定することができる。
【００６９】
［第７の実施形態］
図１４は、第７の実施形態において、携帯端末Ａが、通話相手である携帯端末Ｂが無線通信接続する基地局を切り替える動作手順を表わすフローチャートである。
【００７０】
ステップＳ４０１において、携帯端末Ａにおいて、通話品質測定部８で測定された通話品質が所定値以下の場合（Ｓ４０１：ＹＥＳ）、処理がステップＳ４０２に進む。
【００７１】
ステップＳ４０２において、図５のステップＳ３０２と同様に、通信制御部６は、通話品質が増加するように、携帯端末Ａと無線通信接続する基地局を切替える指示情報を基地局制御装置に送信することができる。基地局制御装置は、指示情報を受信し、指示情報に基づいて、携帯端末Ｂと無線通信接続する基地局を切り替えることができる。
【００７２】
ステップＳ４０３において、携帯端末Ｂにおいて、通話品質測定部８で測定された通話品質が所定値以下の場合（Ｓ４０３：ＹＥＳ）、処理がステップＳ７０３に進む。
【００７３】
ステップＳ７０３において、携帯端末Ｂの通信制御部６は、通話品質が増加するように、携帯端末Ｂと無線通信接続する基地局を決定することができる。具体的には、携帯端末Ｂの通信制御部６は、現在無線通信接続が可能な基地局からの信号のレベルを測定し、最もレベルが高い信号を送信する基地局へ切り替えることができる。
【００７４】
ステップＳ７０４において、携帯端末Ｂの通信制御部６は、携帯端末Ｂと無線通信接続する基地局をステップＳ７０３で決定された基地局である指定基地局への切替えを要求する切替要求情報を携帯端末Ａへ送信することができる。
【００７５】
ステップＳ７０５において、携帯端末Ａにおいて、通信制御部６が、切替要求情報を受信し、かつ付されたＩＤが正当な場合（家族の一員などの所定の通話相手の携帯端末ＩＤの場合）に（Ｓ７０５：ＹＥＳ）、処理がステップＳ７０６に進む。
【００７６】
ステップＳ７０６において、通信制御部６は、携帯端末Ｂと無線通信接続する基地局がステップＳ７０５で受信した切替要求情報で指定される基地局となるよう複数の基地局の上位に位置する基地局制御装置に指示情報を送信することができる。基地局制御装置は、指示情報を受信し、指示情報に基づいて、携帯端末Ｂと無線通信接続する基地局を切り替えることができる。
【００７７】
以上のように、第７の実施形態によれば、第２種端末に設定された通話相手の携帯端末Ｂにおいて通話品質が低下したことが測定された場合に、携帯端末Ｂは、通話品質が増加する基地局を切替後の指定基地局として決定する。携帯端末Ｂから第１種端末に設定された携帯端末Ａに、指定した基地局への切替えの要求が送られる。携帯端末Ａは、携帯端末Ｂと無線通信接続する基地局を指定された基地局に切り替えるので、通話品質を改善することができる。
【００７８】
［第８の実施形態］
図１５は、第８の実施形態において、携帯端末Ａが通話相手である携帯端末Ｂが無線通信接続する基地局を切り替える動作手順を表わすフローチャートである。
【００７９】
図１５のステップＳ４０１〜Ｓ５０６は、図８のステップＳ４０１〜Ｓ５０６と同じなので、説明を繰り返さない。
【００８０】
ステップＳ８０７において、通信制御部６は、携帯端末Ｂと無線通信接続する基地局をステップＳ５０６で決定された基地局に切り替えることの許可を求める切替許可願情報を携帯端末Ｂへ送信することができる。
【００８１】
図１６は、切替許可願情報の例を表わす図である。図１６に示すように、送信元である携帯端末ＡのＩＤを付して、音声データとともに切替許可願情報が送信される。携帯端末Ａの通信制御部６は、ステップＳ５０６において、携帯端末Ｂから受信した切替要求情報に基づいて、携帯端末Ｂと無線通信接続する基地局を決定すると、自動的に音声データとともに切換許可願情報を送信することができる。
【００８２】
ステップＳ８０８において、携帯端末Ｂにおいて、通信制御部６が、許可願情報を受信し、かつ付されたＩＤが正当な場合（家族の一員などの所定の通話相手の携帯端末ＩＤの場合）に（Ｓ８０８：ＹＥＳ）、処理がステップＳ８０９に進む。
【００８３】
ステップＳ８０９において、ユーザ入力部２を通じて、携帯端末Ｂのユーザから基地局の切替えの許可が入力された場合に（Ｓ８０９：ＹＥＳ）、処理がステップＳ８１０に進む。
【００８４】
ステップＳ８１０において、携帯端末Ｂの通信制御部６は、切替許可情報を携帯端末Ａに送信することができる。
【００８５】
図１７は、切替許可情報の例を表わす図である。図１７に示すように、送信元である携帯端末ＢのＩＤを付して、音声データとともに切替許可情報が送信される。携帯端末Ｂの通信制御部６は、ステップＳ８０９において、携帯端末Ｂのユーザからユーザ入力部２を通じて基地局の切替えの許可が入力された場合に、自動的に音声データとともに切換許可願情報を送信することができる。なお、携帯端末Ｂのユーザによるユーザ入力部２を通じた基地局の切替えの許可の入力については、図１８等の図面を用いて後で説明する。
【００８６】
ステップＳ８１１において、携帯端末Ｂにおいて、通信制御部６が、切替許可情報を受信し、かつ付されたＩＤが正当な場合（家族の一員などの所定の通話相手の携帯端末ＩＤの場合）に（Ｓ８１１：ＹＥＳ）、処理がステップＳ８１２に進む。
【００８７】
ステップＳ８１２において、通信制御部６は、携帯端末Ｂと無線通信接続する基地局がステップＳ５０６で決定された基地局となるように、複数の基地局の上位に位置する基地局制御装置に指示情報を送信することができる。基地局制御装置は、指示情報を受信し、指示情報に基づいて、携帯端末Ｂと無線通信接続する基地局を切り替えることができる。
【００８８】
図１８は、携帯端末Ｂのユーザによる切替え許可が入力される手順を表わすフローチャートである。図１９〜図２１は、携帯端末Ｂのユーザによって、無線通信接続する基地局の切替え許可が入力される際に表示される画面の例を表わす図である。
【００８９】
図１８〜図２１を参照して、ステップＳ１００１において、携帯端末Ｂの通信制御部６は、図１９に示すような画面を表示部１２に表示する。携帯端末Ｂのユーザが、ユーザ入力部２を通じて通信方式の維持を指定した場合、具体的には、図１９の画面が表示された場合においてユーザがタッチパネルをタッチすること等により「はい」を選択した場合に、処理がステップＳ１００７に進む。携帯端末Ｂのユーザが、ユーザ入力部２を通じて通信方式の維持を指定しない場合、具体的には、図１９の画面が表示された場合においてユーザがタッチパネルをタッチすること等により「いいえ」を選択した場合に、処理がステップＳ１００２に進む。
【００９０】
ステップＳ１００２において、無線通信接続する基地局が切替えられた場合、基地局の切替え後のセキュリティレベルが低下すると通信制御部６が判断した場合には、処理がステップＳ１００３に進む。切替え後のセキュリティレベルが低下しないと通信制御部６が判断した場合には、処理がステップＳ１００４に進む。
【００９１】
ステップＳ１００３において、携帯端末Ｂの通信制御部６は、図２０に示すような画面を表示部１２に表示する。携帯端末Ｂのユーザが、ユーザ入力部２を通じてセキュリティレベルの低下を許可した場合、具体的には、図２０の画面が表示された場合においてユーザがタッチパネルをタッチすること等により「はい」を選択した場合に、処理がステップＳ１００４に進む。携帯端末Ｂのユーザが、ユーザ入力部２を通じてセキュリティレベルの低下を許可しない場合、具体的には、図２０の画面が表示された場合においてユーザがタッチパネルをタッチすること等により「いいえ」を選択した場合に、処理がステップＳ１００７に進む。
【００９２】
ステップＳ１００４において、無線通信接続する基地局が切替えられた場合、無線通信接続する基地局の切替えによって通信料金が無料から有料に変化すると通信制御部６が判断した場合には、処理がステップＳ１００５に進む。通信料金が無料から有料に変化しないと通信制御部６が判断した場合には、処理がステップＳ１００６に進む。
【００９３】
ステップＳ１００５において、通信制御部６は、図２１に示すような画面を表示部１２に表示する。携帯端末Ｂのユーザが、ユーザ入力部２を通じて通信料金が無料から有料に変化することを許可した場合、具体的には、図２１の画面が表示された場合においてユーザがタッチパネルをタッチすること等により「はい」を選択した場合に、処理がステップＳ１００６に進む。携帯端末Ｂのユーザが、ユーザ入力部２を通じて通信料金が無料から有料に変化することを許可しない場合、具体的には、図２１の画面が表示された場合においてユーザがタッチパネルをタッチすること等により「いいえ」を選択した場合に、処理がステップＳ１００７に進む。
【００９４】
ステップＳ１００６において、通信制御部６は、携帯端末Ｂのユーザから基地局の切替えの許可が入力された判断することができる。
【００９５】
ステップＳ１００７において、通信制御部６は、携帯端末Ｂのユーザから基地局の切替えの許可が入力されなかったと判断することができる。
【００９６】
以上のように、第８の実施形態によれば、携帯端末Ａは、携帯端末Ｂのユーザの許可を得てから、携帯端末Ｂが無線通信接続する基地局を切り替えることができる。この方式は、特に、携帯端末Ｂのユーザが、携帯端末Ａによって強制的に基地局を切り替えられるのを望まないような場合に適している。
【００９７】
なお、セキュリティレベルが増加する場合、および通信料金が有料から無料に変化する場合にも、ユーザによる許可を求めるものとしてもよい。
【００９８】
また、通信制御部６は、セキュリティレベルに関する処理（ステップＳ１００２，Ｓ１００３）および通信料金に関する処理（ステップＳ１００４，Ｓ１００５）を必ずしも実行する必要はなく、セキュリティレベルに関する処理および通信料金に関する処理の少なくとも１つの処理を省略してもよい。
【００９９】
［第９の実施形態］
種別設定部５は、携帯端末１だけでなく、家族の一員などの所定の通話相手の他の携帯端末を第１種端末と第２種端末のうちのいずれかに設定する。
【０１００】
図２２は、他の携帯端末の種別の設定画面を表わす図である。以下では、携帯端末Ｙが携帯端末Ｘの種別を設定する場合について説明する。なお、携帯端末Ｘは、第１〜第８の実施形態において説明した携帯端末Ａおよび携帯端末Ｂの一方であり、携帯端末Ｙは、当該携帯端末Ａおよび携帯端末Ｂの他方であってよい。
【０１０１】
携帯端末Ｙのユーザが、ユーザ入力部２を通じて、所定の通話相手の携帯端末Ｘの種別として第１種端末を選択した場合、具体的には、図２２の画面が表示された場合においてユーザがタッチパネルをタッチすること等により「第１種端末」を選択した場合に、携帯端末Ｘが第１種端末に設定される。携帯端末１のユーザが、ユーザ入力部２を通じて、携帯端末Ｘの種別として第２種端末を選択した場合、具体的には、図２２の画面が表示された場合においてユーザがタッチパネルをタッチすること等により「第２種端末」を選択した場合に、携帯端末Ｘが第２種端末に設定される。
【０１０２】
図２３は、携帯端末Ｙが、所定の通話相手の携帯端末Ｘの設定された種別を通知する手順を表わすフローチャートである。
【０１０３】
図２３を参照して、ステップＳ１１０１において、携帯端末Ｙのユーザによって、携帯端末Ｘが第１種端末に設定された場合に、処理がステップＳ１１０２に進む。携帯端末Ｙのユーザによって、携帯端末Ｘが第２種端末に設定された場合に、処理がステップＳ１１０３に進む。
【０１０４】
ステップＳ１１０２において、携帯端末Ｙの通信制御部６は、携帯端末Ｘと無線通信接続中において、携帯端末Ｘが第１種端末に設定されたことを通知する種別通知情報を携帯端末Ｘに送信することができる。
【０１０５】
ステップＳ１１０３において、携帯端末Ｙの通信制御部６は、携帯端末Ｘと無線通信接続中において、携帯端末Ｘが第２種端末に設定されたことを通知する種別通知情報を携帯端末Ｘに送信することができる。
【０１０６】
ステップＳ１１０４において、携帯端末Ｘの通信制御部６は、種別通知情報を受信した場合に、処理がステップＳ１１０５に進む。
【０１０７】
ステップＳ１１０５において、受信した種別通知情報が、携帯端末Ｘが第１種端末であることを表わす場合には（Ｓ１１０５：ＹＥＳ）、処理がステップＳ１１０６に進む。受信した種別通知情報が、携帯端末Ｘが第２種端末であることを表わす場合には（Ｓ１１０５：ＮＯ）、処理がステップＳ１１０７に進む。
【０１０８】
ステップＳ１１０６において、携帯端末Ｘの通信制御部６は、携帯端末Ｘが第１種端末であることを表す設定情報を設定情報記憶部９に記憶させることができる。
【０１０９】
ステップＳ１１０７において、携帯端末Ｘの通信制御部６は、携帯端末Ｘが第２種端末であることを表す設定情報を設定情報記憶部９に記憶させることができる。
【０１１０】
以上のように、第９の実施形態によれば、所定の通話相手の携帯端末の種別を設定することができる。たとえば、親が使用する携帯端末から、子供が使用する携帯端末の種別を設定することができる。これにより、子供が使用する携帯端末が無線通信接続する基地局の切替えは、親が使用する携帯端末からのみ制御できるようにすることができる。
【０１１１】
（変形例）
本開示は、上記の実施形態に限定されるものではない。
【０１１２】
（１）種別の設定
第１〜第９の実施形態では、種別設定部によって、携帯端末は、第１種端末と第２種端末のいずれかに設定されるものとしたが、これに限定されるものではない。製造時点において、携帯端末は、第１種端末か、第２種端末かのいずれかに決定されるものとし、第１種端末に決定された携帯端末は、第１種端末の機能のみを備え、第２種端末に決定された携帯端末は、第２種端末の機能のみを備えるものとしてもよい。
【０１１３】
（２）種別の設定の省略
第１〜第３の実施形態において、第１種端末に設定された携帯端末が、第２種端末に設定された携帯端末の通信方式を切り替えたが、これに限定するものではない。第１〜第３の実施形態では、携帯端末の種別の設定をなくし、いずれの携帯端末からも、通話相手の他の携帯端末の通信方式を切り替えることができるようにしてもよい。
【０１１４】
（３）基地局制御装置
第１〜第９の実施形態では、基地局制御装置が、携帯端末Ａからの、携帯端末Ｂの通信方式の変更または無線通信接続する基地局の変更の指示に基づいて、携帯端末Ｂが無線通信接続する基地局を切り替えた。基地局制御装置は、複数の携帯端末をグループ単位で管理し、携帯端末Ａと携帯端末Ｂとが同じグループのメンバであると判断したときのみ、携帯端末Ａからの指示に基づいて、携帯端末Ｂが無線通信接続する基地局を切り替えるものとしてもよい。
【０１１５】
（４）携帯端末Ｂの通信方式
携帯端末Ａが通信方式＃１を用いて通信している場合に、通話相手側の携帯端末Ｂも同じ通信方式＃１を用いて通信した場合に、通話料金が減額されるような場合に、携帯端末Ａが、携帯端末Ｂの通信方式を通信方式＃１に切り替えるものとしてもよい。
【０１１６】
携帯端末Ｂが通信接続する基地局の切り換えは、通信品質が所定値以下の場合に限らず、セキュリティレベルを向上させたい場合および課金条件を変更したい場合などに、携帯端末Ａのユーザによる操作により行われてもよい。また、携帯端末Ｂの切換要求情報は、通信品質が所定値以下の場合に限らず、その他の条件を満たした場合に、自動的に送信されてもよく、又は携帯端末Ｂのユーザによる操作により送信されてもよい。
【０１１７】
（５）他端末情報記憶部
他端末情報記憶部に記憶される所定の通話相手の携帯端末が利用できる通信方式を、ユーザが設定により変更することができるようにしてもよい。たとえば、親が子供の携帯端末の通信方式を、ある月はＬＴＥ方式、次月はＷｉ−Ｆｉコーリングに設定するようにしてもよい。
【０１１８】
なお、今回開示された実施の形態は、携帯端末Ｂが無線通信接続する基地局を異なる通信方式における基地局に切り替える場合だけでなく、同じ通信方式における異なる基地局に切り替える場合にも適用できる。
【０１１９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２０】
１  携帯端末  ２  ユーザ入力部、３  他端末情報記憶部、５  種別設定部、６  通信制御部、７  アンテナ、８  通信品質測定部、９  設定情報記憶部、１０  マイク、１１  スピーカ、１２  表示部、１３  近接センサ、１４  カメラ。
【図１】
2016158127.tif 000003
【図２】
2016158127.tif 000004
【図３】
2016158127.tif 000005
【図４】
2016158127.tif 000006
【図５】
2016158127.tif 000007
【図６】
2016158127.tif 000008
【図７】
2016158127.tif 000009
【図８】
2016158127.tif 000010
【図９】
2016158127.tif 000011
【図１０】
2016158127.tif 000012
【図１１】
2016158127.tif 000013
【図１２】
2016158127.tif 000014
【図１３】
2016158127.tif 000015
【図１４】
2016158127.tif 000016
【図１５】
2016158127.tif 000017
【図１６】
2016158127.tif 000018
【図１７】
2016158127.tif 000019
【図１８】
2016158127.tif 000020
【図１９】
2016158127.tif 000021
【図２０】
2016158127.tif 000022
【図２１】
2016158127.tif 000023
【図２２】
2016158127.tif 000024
【図２３】
2016158127.tif 000025